(57)【要約】【課題】カラオケマイクの外周面に、一定間隔で複数個の色により継続して発光・点滅させることができる複数個のＬＥＤを装置したカバーを装着固着する。【解決手段】カバー４を構成する、少なくとも透明または半透明な上層シー５と、下層シート６間に、複数個のＬＥＤ３を環状に間隔を有して直列に結線された２組のＬＥＤ群９が両側位置において封止固定される一方、前記各ＬＥＤ群９を構成する各ＬＥＤ３は、一定間隔で複数個の色により継続して発光・点滅させることができるよう予めプログラムされた制御ＩＣを内蔵したＬＥＤ３により形成され、前記ＬＥＤ群９を内部に封止して形成されたカバー４を、カラオケマイク１の握り部２に装着固定手段１９を介して装着固着する。【選択図】図１
2016191776.tif 000002
【特許請求の範囲】
【請求項１】
カラオケマイクの握り部の外周面に、複数個のＬＥＤを装置したカバーを取外し可能に装着固着して形成されたＬＥＤを装着したカラオケマイクであって、前記カバーは、柔軟性を有するソフトプラスチック、またはシリコーンゴムより成る上層シートと下層シートとを接合固定して２層構造で、且つ前記上層シートと下層シートのうち、少なくとも上層シートは透明または半透明に形成され、且つ前記カバーの中央部上方位置に、前記カラオケマイクの起動スイッチを前記カバーより上方に露出させる開口部が開口されると共に、前記カバーの上層シートと下層シート間には、複数個のＬＥＤを環状に間隔を有して直列に結線されたＬＥＤ群が、前記開口部の両側位置において封止固定される一方、前記各ＬＥＤ群を構成する各ＬＥＤは、一定間隔で複数個の色により継続して発光・点滅させることができるよう予めプログラムされた制御ＩＣを内蔵したＬＥＤにより形成され、更に、前記カバーの前記開口部の両側部には、前記両側の各ＬＥＤ群にそれぞれ電源を供給する超小型電池を配設する電池収納部がそれぞれ設置され、且つ前記開口部の下面には前記各電池に接続されて、前記各ＬＥＤ群へ同時に電源供給をする電源スイッチが、前記カバー上に露出して設置され、且つ前記各電池収納部は、前記カバーの前記開口部の両側部に、蓋片を備えて上方を開口して設置される一方、前記電池収納部には前記電池のプラス側とマイナス側に接続する接続端子がそれぞれ設置されると共に、前記ＬＥＤ群を内部に封止して形成されたカバーが、カラオケマイクの握り部に装着固定手段を介して装着固着されるようにしたことを特徴とするＬＥＤを装着したカラオケマイク。
【請求項２】
カラオケマイクの握り部の外周面に、複数個のＬＥＤを装置したカバーを取外し可能に装着固着して形成されたＬＥＤを装着したカラオケマイクであって、前記カバーは、柔軟性を有するソフトプラスチック、またはシリコーンゴムより成る上層シートと下層シートとを接合固定して２層構造で、且つ前記上層シートと下層シートのうち、少なくとも上層シートは透明または半透明に形成され、且つ前記カバーの中央部上方位置に、前記カラオケマイクの起動スイッチを前記カバーより上方に露出させる開口部が開口されると共に、前記カバーの上層シートと下層シート間には、複数個のＬＥＤを環状に間隔を有して直列に結線されたＬＥＤ群が、前記開口部の両側位置において封止固定される一方、前記各ＬＥＤ群を構成する各ＬＥＤは、一定間隔で複数個の色により継続して発光・点滅させることができるよう予めプログラムされた制御ＩＣを内蔵したＬＥＤにより形成され、更に、前記カバーの前記開口部の両側部には、前記両側の各ＬＥＤ群にそれぞれ電源を供給する充電可能な電池を配設する電池収納部がそれぞれ設置され、且つ前記開口部の下面には前記各電池に接続されて、前記各ＬＥＤ群へ同時に電源供給をする電源スイッチが、前記カバー上に露出して設置され、且つ前記各電池収納部は、前記カバーの前記開口部の両側部に、蓋片を備えて上方を開口して設置される一方、前記電池収納部には前記電池のプラス側とマイナス側に接続する接続端子がそれぞれ設置されると共に、前記ＬＥＤ群を内部に封止して形成されたカバーが、カラオケマイクの握り部に装着固定手段を介して装着固着されるようにしたことを特徴とするＬＥＤを装着したカラオケマイク。
【発明の詳細な説明】
【技術分野】
【０００１】
本発明は、カラオケマイクの外周面に複数個のＬＥＤ(発光ダイオード)を装置したカバーを装着固着して、カラオケ時に前記ＬＥＤが適宜間隔で複数の色による発光・点滅を繰り返して、使用者および周りの人にカラオケ時の雰囲気を更に盛り上がらせ、且つ視覚的に豪華な雰囲気を醸し出すことができるＬＥＤを装着したカラオケマイクに関するものである。
【背景技術】
【０００２】
従来一般に、カラオケマイクはそのほとんどグレーで統一されていて、非常に暗いという印象を与え、カラオケ時の楽しい雰囲気にはそぐわないという感じがする。また、カラオケマイクにＬＥＤを装着して、カラオケ時に前記ＬＥＤが適宜間隔で複数の色による発光・点滅を繰り返して、使用者および周りの人にカラオケ時の雰囲気を更に盛り上がらせ、且つ視覚的に豪華な雰囲気を醸し出すことができるという、カラオケマイクの技術思想につき、過去の特許文献を遡及探索しても、１件の先行技術も発見することができず、単に下記特許文献に示す「カラオケマイクおよびカラオケシステム」が開示されているに過ぎない。
【先行技術文献】
【特許文献】
【０００３】
【特許文献１】特開２００７−２２５９９３号公報
【発明の概要】
【発明が解決しようとする課題】
【０００４】
前記従来一般に使用されているカラオケマイクは、そのほとんどが、全体でグレーに統一されているため、暗い印象を与え、カラオケ時の楽しい雰囲気にそぐわないという課題があり、また前記特許文献１記載の発明は、単にカラオケマイクに、人体の振動を検出する振動検出手段を備えたカラオケマイクであって、カラオケ時の緊張度の判定の参考とするためのものであるので、カラオケ時にＬＥＤが適宜間隔で複数の色による発光・点滅を繰り返して、使用者および周りの人にカラオケ時の雰囲気を更に盛り上がらせ、且つ視覚的に豪華な雰囲気を醸し出すことができるという効果を全く期待できないという課題があった。
【０００５】
本発明は、前記課題を解決すべくなされたものであって、カラオケマイクの外周面に、複数個のＬＥＤを装置したカバーを装着して、カラオケ時に前記ＬＥＤが適宜間隔で複数の色による発光・点滅を繰り返して、使用者および周りの人にカラオケ時の雰囲気を更に盛り上がらせ、且つ視覚的に豪華な雰囲気を醸し出すことができるＬＥＤを装着したカラオケマイクを提供しようとするものである。
【課題を解決するための手段】
【０００６】
本発明は、カラオケマイクの握り部の外周面に、複数個のＬＥＤを装置したカバーを取外し可能に装着固着して形成されたＬＥＤを装着したカラオケマイクであって、前記カバーは、柔軟性を有するソフトプラスチック、またはシリコーンゴムより成る上層シートと下層シートとを接合固定して２層構造で、且つ前記上層シートと下層シートのうち、少なくとも上層シートは透明または半透明に形成され、且つ前記カバーの中央部上方位置に、前記カラオケマイクの起動スイッチを前記カバーより上方に露出させる開口部が開口されると共に、前記カバーの上層シートと下層シート間には、複数個のＬＥＤを環状に間隔を有して直列に結線されたＬＥＤ群が、前記開口部の両側位置において封止固定される一方、前記各ＬＥＤ群を構成する各ＬＥＤは、一定間隔で複数個の色により継続して発光・点滅させることができるよう予めプログラムされた制御ＩＣを内蔵したＬＥＤにより形成され、更に、前記カバーの前記開口部の両側部には、前記両側の各ＬＥＤ群にそれぞれ電源を供給する超小型電池を配設する電池収納部がそれぞれ設置され、且つ前記開口部の下面には前記各電池に接続されて、前記各ＬＥＤ群へ同時に電源供給をする電源スイッチが、前記カバー上に露出して設置され、且つ前記各電池収納部は、前記カバーの前記開口部の両側部に、蓋片を備えて上方を開口して設置される一方、前記電池収納部には前記電池のプラス側とマイナス側に接続する接続端子がそれぞれ設置されると共に、前記ＬＥＤ群を内部に封止して形成されたカバーが、カラオケマイクの握り部に装着固定手段を介して装着固着するという手段、または、
カラオケマイクの握り部の外周面に、複数個のＬＥＤを装置したカバーを取外し可能に装着固着して形成されたＬＥＤを装着したカラオケマイクであって、前記カバーは、柔軟性を有するソフトプラスチック、またはシリコーンゴムより成る上層シートと下層シートとを接合固定して２層構造で、且つ前記上層シートと下層シートのうち、少なくとも上層シートは透明または半透明に形成され、且つ前記カバーの中央部上方位置に、前記カラオケマイクの起動スイッチを前記カバーより上方に露出させる開口部が開口されると共に、前記カバーの上層シートと下層シート間には、複数個のＬＥＤを環状に間隔を有して直列に結線されたＬＥＤ群が、前記開口部の両側位置において封止固定される一方、前記各ＬＥＤ群を構成する各ＬＥＤは、一定間隔で複数個の色により継続して発光・点滅させることができるよう予めプログラムされた制御ＩＣを内蔵したＬＥＤにより形成され、更に、前記カバーの前記開口部の両側部には、前記両側の各ＬＥＤ群にそれぞれ電源を供給する充電可能な電池を配設する電池収納部がそれぞれ設置され、且つ前記開口部の下面には前記各電池に接続されて、前記各ＬＥＤ群へ同時に電源供給をする電源スイッチが、前記カバー上に露出して設置され、且つ前記各電池収納部は、前記カバーの前記開口部の両側部に、蓋片を備えて上方を開口して設置される一方、前記電池収納部には前記電池のプラス側とマイナス側に接続する接続端子がそれぞれ設置されると共に、前記ＬＥＤ群を内部に封止して形成されたカバーが、カラオケマイクの握り部に装着固定手段を介して装着固着するという手段、
のいずれかをを採用することにより、上記課題を解決した。
【発明の効果】
【０００７】
上記構成より成る本発明によれば、カラオケマイクの外周面に、複数個のＬＥＤを装置したカバーを装着して、カラオケ時に前記ＬＥＤが適宜間隔で複数の色による発光・点滅を繰り返して、使用者および周りの人にカラオケ時の雰囲気を更に盛り上がらせ、且つ視覚的に豪華な雰囲気を醸し出すことができるという極めて優れた効果を奏することができる。また、その構造も簡単で、且つ材料費も安価であるので、製作も容易で安価に提供できるという効果も有する。
【図面の簡単な説明】
【０００８】
【図１】本発明ＬＥＤを装着したカラオケマイクの斜視図である。
【図２】本発明ＬＥＤを装着したカラオケマイクにおけるカバーの展開図である。
【図３】本発明ＬＥＤを装着したカラオケマイクにおけるカバーの縦断面図である。
【図４】本発明ＬＥＤを装着したカラオケマイクにおける電池収納部分を示す要部縦断面図である。
【実施例】
【０００９】
本発明の実施例を図面に基づいて詳細に説明する。本発明は、汎用のカラオケマイク１の握り部２の外周面に、複数個のＬＥＤ３を装置したカバー４を取外し可能に装着固着して形成されている。すなわち、前記カバー４は、前記握り部２の外周面に装着できると共に、両端縁部を連結して固着できるような、柔軟性を有するポリプロピレン等のソフトプラスチック、またはシリコーンゴムにより形成されており、図の展開図に示すように、上方が径大で、且つ下方に行くに従い漸次小径に形成された握り部２の形状に合うよう、上辺が長く、且つ下辺が短い台形状に形成された、上層シート５と下層シート６とを接合固定して２層構造にして形成されている。
【００１０】
なお、前記ＬＥＤ３の光が、外部より透けて見えるか、あるいは滲んで見えるよう、前記カバー４を構成する上層シート５と下層シート６のうち、少なくとも上層シート５は、透明または半透明のソフトプラスチック、またはシリコーンゴムにより形成されている。
【００１１】
前記２層構造のカバー４の中央部上方位置に、前記カラオケマイク１の外周面にやや突出して設置された起動スイッチ７を前記カバー４上から操作できるよう、前記起動スイッチ７を貫通して、前記カバー４より上方に露出させる開口部８が開口されると共に、前記カバー４の上層シート５と下層シート６間には、複数個のＬＥＤ３を環状に間隔を有して直列に結線されたＬＥＤ群９が、前記開口部８の両側位置において、それぞれ左右に２群に亘って封止固定されている。
【００１２】
前記各ＬＥＤ群９を構成する各ＬＥＤ３は、該各ＬＥＤ３を一定間隔で、複数個の色により継続して発光・点滅させることができるものであれば、いずれも採用することができるが、ＬＥＤ内部に、該ＬＥＤを一定間隔で、複数個の色により継続して発光・点滅させることができるよう予めプログラムされた制御ＩＣを内蔵した自己点滅ＬＥＤ、または、イルミネーションＬＥＤを使用することが推奨される。これにより、前記各ＬＥＤ３を、前記制御ＩＣに予めプログラムされた間隔で、複数個の色により継続して発光・点滅を繰返すことができるよう形成されている。
【００１３】
また、前記カバー４の中央部上方位置に開口された開口部８の両側部には、前記両側の各ＬＥＤ群９にそれぞれ電源を供給する電池１０を配設する電池収納部１１がそれぞれ設置され、更に前記開口部８の下面には前記各電池１０に接続されて、前記各ＬＥＤ群９へ同時に電源供給をする電源スイッチ１２が、前記カバー４上に露出して設置されている。
【００１４】
前記電池１０は、所謂「ボタン電池」と言われている、アルカリ電池、リチウム電池等の超小型電池、または繰り返し充電可能なリチウムイオン電池のいずれをも使用することができる。そして、前記各電池収納部１１は、前記カバー４の前記開口部８の両側部に、上方を開口して箱状に形成されて設置され、且つ該電池収納部１１には前記電池１０のプラス側とマイナス側に接続する接続端子１３・１４がそれぞれ設けられており、更に前記各電池収納部１１には蓋片１５が開閉自在に設置されており、該蓋片１５を閉じることにより、前記各電池収納部１１からの電池１０の落下を防止することができる。なお、前記電池１０が充電可能な電池の場合、電池収納部１１には、該充電可能な電池１０を取外すことなく、充電することができるよう、充電用ＵＳＢに接続する接続端子（図示省略）を設けておくことが好ましい。
【００１５】
前記各電池収納部１０に設置されている蓋片１５は、特に限定する必要はないが、好ましくは、図４に示すような構成とすることが推奨される。すなわち、図４に示すように、前記各電池収納部１０よりやや大きく形成された蓋片１５の底面上下端部と、該蓋片１５の底面上下端部に対面する上層シート５上に、接合固定手段１６を設置して形成されている。
【００１６】
前記各蓋片１５の接合固定手段１６は、特に限定する必要はなく、面ファスナー雄片と雌片を使用して接合する方法、あるいはボタン止めする方法等を使用することができるが、好ましくは、本発明においては、加工性および操作性の面から、図４に示すように、面ファスナー雄片１７と雌片１８を使用して接合する固定すること方法が推奨される。これにより、使用者は蓋片１５を開放して、電池１０を交換したり、あるいは充電することができる。
【００１７】
前記各ＬＥＤ群９は、図２に示すように、各電池１０と共通する電源スイッチ１２を介して直列に接続されている。従って、前記電源スイッチ１２をＯＮにすると、各ＬＥＤ群９に各電池１０より電源が供給されて、各ＬＥＤ３に内蔵された制御ＩＣに予めプログラムされた間隔で、複数個の色により継続して発光・点滅を繰返すことができるよう形成されている。
【００１８】
更に、本発明においては、前記ＬＥＤ群９を内部に封止して形成されたカバー４が、カラオケマイク１の握り部２に装着固定手段１９を介して装着固着される。そして、前記装着固定手段１９は、特に限定する必要はなく、面ファスナー雄片と雌片を使用して接合する方法、あるいはボタン止めする方法、またはジップロック（登録商標）を使用して接合する方法等があるが、好ましくは、本発明においては、加工性および操作性の面から、図２に示すように、面ファスナー雄片２０と雌片２１を使用して接合固着する方法が推奨される。これにより、使用者は前記カバー４をカラオケマイク１の握り部２に巻き付けて、前記面ファスナー雄片２０と雌片２１を接着して装着固着することができる。
【００１９】
前記カバー４を握り部２に巻き付け、且つ前記面ファスナー雄片２０と雌片２１を接着して装着固着したカラオケマイク１を、使用者が使用するに当たり、起動スイッチ７をＯＮしてカラオケマイク１を起動し、その後任意の時点で、電源スイッチ１２をＯＮすると、前記各ＬＥＤ群９の各ＬＳＥ３が電気的に接続され、前記制御ＩＣのプログラムに基づき、前記ＬＥＤ３が適宜間隔で複数の色による発光・点滅を繰り返して、使用者および周りの人にカラオケ時の雰囲気を更に盛り上がらせ、且つ視覚的に豪華な雰囲気を醸し出すことができるのである。
【符号の説明】
【００２０】
１  カラオケマイク
２  握り部
３  ＬＥＤ
４  カバー
５  上層シート
６  下層シート
７  起動スイッチ
８  開口部
９  ＬＥＤ群
１０  電池
１１  電池収納部
１２  電源スイッチ
１３・１４  接続端子
１５  蓋片
１６  接合固定手段
１７  面ファスナー雄片
１８  面ファスナー雌片
１９  装着固定手段
２０  面ファスナー雄片
２１  面ファスナー雌片
【図１】
2016191776.tif 000003
【図２】
2016191776.tif 000004
【図３】
2016191776.tif 000005
【図４】
2016191776.tif 000006